(57)【要約】【課題】設置環境において、ファクシミリ通信の相手方を選ぶための信号（選択信号）が正確に認識されているか否かを判定する。【解決手段】通信装置の第１通信部は、第１宛先番号が割り当てられる。第２通信部は、第２宛先番号が割り当てられる。画像送信のため、呼び出す相手方の宛先番号を送る信号である選択信号の波形のパラメータを調整するパラメータ調整処理のとき、制御部は、第２宛先番号の選択信号を第１通信部に送信させる。第２宛先番号の選択信号の送信後、制御部は、第２通信部に着信がある否かを判定する。【選択図】図３
2020092390.tif 000002
【特許請求の範囲】
【請求項１】
第１宛先番号が割り当てられ、通信を行う第１通信部と、
第２宛先番号が割り当てられ、通信を行う第２通信部と、
画像送信のため、呼び出す相手方の宛先番号を送る信号である選択信号の波形のパラメータを調整するパラメータ調整処理のとき、
前記第２宛先番号の前記選択信号を前記第１通信部に送信させ、
前記第２宛先番号の前記選択信号の送信後、前記第２通信部に着信がある否かを判定する制御部と、を含むことを特徴とする通信装置。
【請求項２】
記憶部を含み、
前記第１通信部からの前記第２宛先番号の前記選択信号の送信後、前記第２通信部に着信ありと判定したとき、
前記制御部は、
直前に送信した前記選択信号の前記パラメータを前記記憶部に記憶させ、
前記記憶部に記憶される前記パラメータに基づき、前記選択信号を前記第１通信部に送信させることを特徴とする請求項１に記載の通信装置。
【請求項３】
前記第１通信部からの前記第２宛先番号の前記選択信号の送信後、前記第２通信部に着信なしと判定した場合、
前記制御部は、
前記第２宛先番号の前記選択信号を前記第１通信部に再送信させ、
前記再送信のとき、直前の前記選択信号の送信時と、前記パラメータを異ならせることを特徴とする請求項１又は２に記載の通信装置。
【請求項４】
前記制御部は、
前記再送信についても前記第２通信部に着信なしと判定したとき、前記再送信を再び前記第１通信部に行わせ、
それぞれの前記再送信において、前記選択信号の前記パラメータを異ならせることを特徴とする請求項３に記載の通信装置。
【請求項５】
表示を行う表示パネルを含み、
前記再送信を繰り返す場合、
前記制御部は、
前記パラメータのパターンを定義したパターンテーブルに基づき、それぞれの前記再送信時に前記選択信号の前記パラメータを異ならせ、
前記パターンテーブルに定義される全ての前記パターンについて前記再送信を行っても前記第２通信部に着信ありと判定できないとき、調整の失敗と点検の必要性を前記表示パネルに表示させることを特徴とする請求項４に記載の通信装置。
【請求項６】
前記第１通信部がダイヤルパルス方式の前記選択信号を送信する場合、
前記再送信のとき、
前記制御部は、
前記パラメータのうち、メーク率とミニマムポーズ時間の何れか一方、又は、両方を前記第１通信部に変えさせることを特徴とする請求項３乃至５の何れか１項に記載の通信装置。
【請求項７】
前記第１通信部がＤＴＭＦ方式の前記第２宛先番号を送信する場合、
前記再送信のとき、
前記制御部は、
前記パラメータのうち、信号レベル、信号ＯＮ時間、信号ＯＦＦ時間の何れか１つ又は複数を前記第１通信部に変えさせることを特徴とする請求項３乃至５の何れか１項に記載の通信装置。
【請求項８】
前記第１通信部と前記第２通信部は、ＶｏＩＰアダプターに接続されることを特徴とする請求項１乃至７の何れか１項に記載の通信装置。
【請求項９】
前記第２通信部に着信ありと判定した場合、
前記制御部は、
前記第２通信部について前記パラメータ調整処理を開始し、
前記第１宛先番号の前記選択信号を前記第２通信部に送信させ、
前記第１宛先番号の前記選択信号の送信後、前記第１通信部への着信がある否かを判定することを特徴とする請求項１乃至８の何れか１項に記載の通信装置。
【発明の詳細な説明】
【技術分野】
【０００１】
本発明は、宛先に画像を送信する通信装置に関する。
【背景技術】
【０００２】
ファクシミリ装置は画像を送信する。発呼側のファクシミリ装置は、被呼側のファクシミリ装置に画像データを送信する。送受信される信号の波形が乱れると正しく画像データを送受信することができない。画像データの適切な送受信を考慮したファクシミリ装置（通信装置）の一例が特許文献１に記載されている。
【０００３】
特許文献１には、発呼側が回線を接続してデータを送信し、被呼側がデータを受信し、回線接続直後に発呼側から被呼側に送られる信号の着信レベルを測定し、測定された着信レベルが所定値に達しているか否かを判定し、達していないと判定したとき、送出レベルを高める要求信号を発呼側に通知する通信装置が記載されている。この構成により、通信エラー、及び、通信エラーに基づく通信速度の低下を防ごうとする（特許文献１：請求項１、発明の詳細な説明の概要の欄参照）。
【先行技術文献】
【特許文献】
【０００４】
【特許文献１】特開平０１−１５５７６０号公報
【発明の概要】
【発明が解決しようとする課題】
【０００５】
ファクシミリ通信には、通信事業者が提供する電話網（固定電話回線）が用いられている。しかし、近年、ＶｏＩＰを用いてファクシミリ通信を行うことが多くなっている。この場合、ファクシミリ装置の電話回線用のモジュラージャックには、ＶｏＩＰアダプターに接続される。送信のとき、ＶｏＩＰアダプターは、ファクシミリ装置の出力信号（音声）をパケットに変換する。そして、ＶｏＩＰアダプターは、ＩＰネットワークを介して、変換データ（パケット）を送る。受信のとき、ＶｏＩＰアダプターは、ファクシミリ装置に送られてきたパケットをファクシミリ装置が理解できる信号（音声）に変換する。ＶｏＩＰアダプターは、変換した信号をファクシミリ装置に入力する。
【０００６】
ＶｏＩＰアダプターのなかには、特性が固定電話回線（通信事業者）用の交換機と異なるものがある。例えば、信号を処理する回路の特性と異なる場合がある。また、ファクシミリ通信の相手方を選ぶ番号（宛先番号、ファクシミリ番号）を示す信号（選択信号）を認識する回路の特性が異なる場合がある。そのため、ＶｏＩＰアダプター及びＶｏＩＰ用の交換機には、選択信号（宛先）を正確に認識できないものがあるという問題がある。この場合、回線が繋がらず、相手方と通信を確立できない。
【０００７】
特許文献１記載の技術は、信号レベルを上げる要求を相手方のファクシミリ装置に送信する。しかし、相手方と通信が確立し、回線がつながることを前提としている。選択信号（宛先）が正確に認識されないという問題に対応することはできない。
【０００８】
本発明は、上記の問題点に鑑み、どのような環境でも、ファクシミリ通信の相手方を選ぶための信号（選択信号）が正確に認識されているか否かを判定する。
【課題を解決するための手段】
【０００９】
本発明に係る通信装置は、第１通信部、第２通信部、制御部を含む。前記第１通信部は、第１宛先番号が割り当てられ、通信を行う。前記第２通信部は、第２宛先番号が割り当てられ、通信を行う。画像送信のため、呼び出す相手方の宛先番号を送る信号である選択信号の波形のパラメータを調整するパラメータ調整処理のとき、前記制御部は、前記第２宛先番号の前記選択信号を前記第１通信部に送信させる。前記第２宛先番号の前記選択信号の送信後、前記制御部は、前記第２通信部に着信がある否かを判定する。
【発明の効果】
【００１０】
本発明によれば設置環境（例えば、ＶｏＩＰ環境）において、呼び出す相手方の宛先番号を交換機、アダプターが正確に認識（検出）しているか否かを判定することができる。
【図面の簡単な説明】
【００１１】
【図１】実施形態に係るファクシミリ通信システムの一例を示す図である。
【図２】実施形態に係る複合機の一例を示す図である。
【図３】実施形態に係る複合機での選択信号の波形のパラメータのパラメータ調整処理の一例を示す図である。
【図４】実施形態に係るダイヤルパルス方式の一例を示す図である。
【図５】実施形態に係るＤＴＭＦ方式の一例を示す図である。
【図６】実施形態に係るパターンテーブルの一例を示す。
【図７】実施形態に係る通知画面の一例を示す。
【図８】実施形態に係る第２通信部のパラメータ調整処理の一例を示す図である。
【発明を実施するための形態】
【００１２】
以下、図１〜図８を用いて、本発明の実施形態に係る通信装置（ファクシミリ装置）の一例を説明する。以下の説明では、通信装置がファクシミリ機能を有する複合機１である場合を説明する。また、以下の実施の形態に記載される構成、配置等の各要素は、発明の範囲を限定するものではなく単なる説明例にすぎない。
【００１３】
（ファクシミリ通信システム１００の概要）
まず、図１を用いて、実施形態に係るファクシミリ通信システム１００の一例を説明する。図１は、実施形態に係るファクシミリ通信システム１００の一例を示す図である。
【００１４】
図１に示すファクシミリ通信システム１００は、複合機１、複数のＶｏＩＰアダプター２、交換機３を含む。複合機１は複数の機能を併せ持つ。例えば、複合機１は、ファクシミリ通信機能、印刷機能、スキャン送信機能を有する。複合機１はＩＴＵ−Ｔ勧告Ｔ．３０の規格に準拠してファクシミリ通信を行える。複合機１は、固定電話回線を用いてファクシミリ通信できる。複合機１は、読み取りで得た原稿の画像データに基づく画像データ（メッセージ、画像信号）を、受信側ファクシミリ装置４に向けて送信する。受信側ファクシミリ装置４はこれを受信する。
【００１５】
複合機１は複数のモジュラージャックを含む。そのため、複合機１は複数の回線を接続できる（マルチポート）。以下の説明では、２つの回線を接続できる複合機１を例にあげて説明する。なお、複合機１は、３以上の回線を接続できるものでもよい。ファクシミリ通信システム１００では、それぞれのモジュラージャックに１つのＶｏＩＰアダプター２が接続される。各ＶｏＩＰアダプター２は、ネットワーク５（インターネット）を介し、交換機３と接続される。交換機３は受信側ファクシミリ装置４と接続される。
【００１６】
ファクシミリ送信のとき、各ＶｏＩＰアダプター２は、複合機１から送信された信号（音声信号）をデータ（パケット）に変換する。各ＶｏＩＰアダプター２は、変換したデータを交換機３に渡す。交換機３は、受信側ファクシミリ装置４に向けて、データ又はパケットを送信する。
【００１７】
ファクシミリ受信のとき、交換機３は複合機１に向けて送信された（複合機１を宛先とする）パケットを受信する。交換機３は受信したパケットを何れかのＶｏＩＰアダプター２に渡す。ＶｏＩＰアダプター２は、受信したパケットを複合機１が理解できる形式の信号（ファクシミリの音声信号、ＩＴＵ−Ｔ勧告Ｔ．３０の規格に準拠する信号）に変換する。ＶｏＩＰアダプター２は、変換した信号を複合機１に入力する。
【００１８】
（複合機１）
次に、図２を用いて、実施形態に係る複合機１の一例を説明する。図２は、実施形態に係る複合機１の一例を示す図である。
【００１９】
複合機１は、制御部１０（制御装置）、第１通信部１１、第２通信部１２、記憶部１３、操作パネル１４、読取装置１５、印刷装置１６、を含む。制御部１０は、制御回路１７、画像処理回路１８を含む。制御回路１７は、例えば、ＣＰＵである。制御回路１７は、記憶部１３に記憶される制御用のプログラムやデータに基づき、演算や制御を行う。画像処理回路１８は、受信側ファクシミリ装置４に送信する画像データ（画像信号）を生成できる。記憶部１３は、ＲＯＭ、フラッシュＲＯＭ、ＲＡＭ、ＨＤＤを含む。制御部１０は、操作パネル１４、読取装置１５、印刷装置１６、第１通信部１１、第２通信部１２の動作を制御する。
【００２０】
操作パネル１４は表示パネル１４ａ、タッチパネル１４ｂ、ハードキー１４ｃを含む。表示パネル１４ａは、メッセージや設定用画面を表示する。タッチパネル１４ｂは表示パネル１４ａに対して設けられる。使用者は、タッチパネル１４ｂとハードキー１４ｃを用いて、ファクシミリ送信に関する設定を行える。例えば、宛先、送信サイズを設定することができる。操作パネル１４はファクシミリ送信の設定を受け付ける。
【００２１】
読取装置１５は、原稿を読み取り、原稿の画像データを生成する。読取装置１５は搬送される原稿や原稿台にセットされた原稿を読み取る。印刷装置１６は給紙装置１６ａ、用紙搬送装置１６ｂ、画像形成部１６ｃ、定着装置１６ｄを含む。印刷のとき、制御部１０は、給紙装置１６ａに給紙を行わせる。制御部１０は、機内で用紙を用紙搬送装置１６ｂに搬送させる。制御部１０は、トナー像の形成と用紙へのトナー像の転写を画像形成部１６ｃに行わせる。制御部１０は、用紙へのトナー像の定着を定着装置１６ｄに行わせる。
【００２２】
制御部１０は２つの通信部を含む。便宜上、一方の通信部を第１通信部１１と称し、他方の通信部を第２通信部１２と称する。制御部１０（制御回路１７）は第１通信部１１の通信処理を制御する。第１通信部１１はファクシミリ通信を行う通信制御基板である。第１通信部１１は、受信側ファクシミリ装置４（ＶｏＩＰアダプター２、交換機３）と通信を行う回路を含む。例えば、第１通信部１１はモデム１１ａを含む。また、第１通信部１１は、回線（モジュラーケーブル）を接続するためのコネクタ（モジュラージャック）を１つ含む。コネクタに接続されたモジュラーケーブルは、ＶｏＩＰアダプター２と接続される。これにより、第１通信部１１とＶｏＩＰアダプター２が接続される。以下、第１通信部１１と接続されるＶｏＩＰアダプター２を第１ＶｏＩＰアダプター２Ａと称する。
【００２３】
第１通信部１１は、受信側ファクシミリ装置４に画像データ（メッセージ、画像信号）を送信する（ファクシミリ送信）。また、第１通信部１１は、他のファクシミリ装置からのデータも受信できる。受信したデータに基づき、制御部１０は印刷装置１６に印刷を行わせる（プリンター機能、ファクシミリ受信機能）。
【００２４】
また、制御部１０は第２通信部１２の通信処理も制御する。第２通信部１２はファクシミリ通信を行う通信制御基板である。第２通信部１２は、受信側ファクシミリ装置４（ＶｏＩＰアダプター２、交換機３）と通信を行う回路を含む。例えば、第２通信部１２はモデム１２ａを含む。また、第２通信部１２は、回線（モジュラーケーブル）を接続するためのコネクタ（モジュラージャック）を１つ含む。コネクタに接続されたモジュラーケーブルは、ＶｏＩＰアダプター２と接続される。これにより、第２通信部１２とＶｏＩＰアダプター２が接続される。以下、第２通信部１２と接続されるＶｏＩＰアダプター２を第２ＶｏＩＰアダプター２Ｂと称する。
【００２５】
第２通信部１２は、受信側ファクシミリ装置４に画像データ（メッセージ、画像信号）を送信する（ファクシミリ送信）。また、第２通信部１２は、他のファクシミリ装置からのデータも受信できる。受信したデータに基づき、制御部１０は印刷装置１６に印刷を行わせる（プリンター機能、ファクシミリ受信機能）。
【００２６】
第１通信部１１には、宛先として第１宛先番号Ｎ１（第１通信部１１のファクシミリ番号）が割り当てられている。例えば、第１通信部１１の通信メモリー１１ｂは、第１宛先番号Ｎ１を不揮発的に記憶する。また、第２通信部１２は、宛先として第２宛先番号Ｎ２（第２通信部１２のファクシミリ番号）が割り当てられている。例えば、第２通信部１２の通信メモリー１２ｂは、第２宛先番号Ｎ２を不揮発的に記憶する。
【００２７】
交換機３は、第１宛先番号Ｎ１と第２宛先番号Ｎ２を記憶している。第１通信部１１を宛先とするデータ（第１宛先番号Ｎ１向けのデータ）を受信したとき、交換機３は、第１ＶｏＩＰアダプター２Ａを介し、受信したデータを第１通信部１１に入力する。第２通信部１２を宛先とするデータ（第２宛先番号Ｎ２向けのデータ）を受信したとき、交換機３は、第２ＶｏＩＰアダプター２Ｂを介し、受信したデータを第２通信部１２に入力する。
【００２８】
（選択信号７の波形のパラメータの自動調整）
次に、図３〜図７を用いて、実施形態に係る複合機１での選択信号７の波形のパラメータのパラメータ調整処理の一例を説明する。図３は、実施形態に係る複合機１での選択信号７の波形のパラメータのパラメータ調整処理の一例を示す図である。図４は、実施形態に係るダイヤルパルス方式の一例を示す図である。図５は、実施形態に係るＤＴＭＦ方式の一例を示す図である。図６は実施形態に係るパターンテーブルＴ１の一例を示す。図７は実施形態に係る通知画面６の一例を示す。
【００２９】
ファクシミリ送信開始後、最初のフェーズ（フェーズＡ、発呼）にて、複合機１（ファクシミリ装置）は選択信号７を送信する。選択信号７は、能力の識別、選択した条件の指令、受け入れる条件の確認のための通信（フェーズＢ）やメッセージの伝送（フェーズＣ）よりも前に送信される。
【００３０】
選択信号７は、通信相手を選択するための信号である。具体的に、選択信号７は、相手方のファクシミリ装置のファクシミリ番号（呼び出す相手方の宛先番号を示す信号、相手先加入者番号）を示す信号である。選択信号７は、ダイヤル信号と称されることもある。選択信号７は、ダイヤルパルス方式で送信される場合もあれば、ＤＴＭＦ（トーン信号、プッシュ信号）方式で送信されることもある。
【００３１】
選択信号７に基づき、交換機３やネットワーク５は、通信相手とするファクシミリ装置を認識する。交換機３やネットワーク５は、宛先番号に対応するファクシミリ装置と送信側のファクシミリ装置をつなぐ。そして、送信側のファクシミリ装置は、画像信号を相手方のファクシミリ装置に伝送する。
【００３２】
ファクシミリ装置の登場当初、通信線には固定電話回線（有線の電話回線）が用いられていた。しかし、近年、ＶｏＩＰ技術を用いてファクシミリ通信を行うことが増えている。ＶｏＩＰによりファクシミリ通信を行う場合、ＶｏＩＰ通信用のアダプターがファクシミリ装置に接続される。
【００３３】
ファクシミリ装置は、通常、固定電話回線を利用することを想定して設計されている。そのため、通信回路の特性（例えば、インピーダンス、応答時間）は、固定電話回線や固定電話回線用の交換機を考慮して設定されている。一方、アダプターには、回路特性が、固定電話回線用の交換機と異なるものがある。特性が異なるアダプターを用いた場合、アダプターや、アダプターに接続された交換機が、選択信号７を認識できない場合がある。認識できない場合、相手方のファクシミリ装置への呼びかけが行われず、相手方のファクシミリ装置からの応答もない。結果、通信エラーとなる。
【００３４】
そこで、複合機１は、パラメータ調整処理を行う。パラメータ調整処理は、選択信号７の波形のパラメータを自動的に調整する処理である。この処理では、制御部１０（制御回路１７）は、ＶｏＩＰアダプター２やＶｏＩＰ用の交換機３が選択信号７を理解（検出、認識）できるように波形のパラメータを調整する。以下、調整の流れの一例を説明する。
【００３５】
まず、図３のスタートは、パラメータ調整処理を開始する時点である。操作パネル１４はパラメータ調整処理の開始を受け付ける。操作パネル１４がパラメータ調整処理の開始を受け付けたとき、制御部１０（制御回路１７）は、図３のフローチャートを開始する。例えば、複合機１の新規設置のとき、パラメータ調整処理が行われる。
【００３６】
まず、制御部１０（制御回路１７）は、第２通信部１２の第２宛先番号Ｎ２（ファクシミリ番号）を認識する（ステップ♯１１）。例えば、操作パネル１４はパラメータ調整処理の開始に際し、第２宛先番号Ｎ２の入力を受け付ける。この場合、制御部１０は、入力された番号を第２宛先番号Ｎ２と認識する。なお、操作パネル１４は、第１宛先番号Ｎ１の入力もあわせて受け付けてもよい。これにより、制御部１０は、波形のパラメータを調整する通信部が第１通信部１１であることを確認できる。
【００３７】
次に、制御部１０（制御回路１７）は、オフフック（回線接続）し、第２宛先番号Ｎ２の選択信号７を第１通信部１１に送信させる（ステップ♯１２）。言い換えると、制御部１０は、第２通信部１２を呼び出すための信号を第１通信部１１に送信させる。テストの最初の送信では、制御部１０は、デフォルトの波形の選択信号７を送信させる。
【００３８】
そして、制御部１０（制御回路１７）は、第２通信部１２に着信があるか否かを確認する（ステップ♯１３）。言い換えると、制御部１０は、第２通信部１２が第１通信部１１（第１宛先番号Ｎ１）からの呼び出しを受信したか否かを判定する。
【００３９】
第１ＶｏＩＰアダプター２Ａが第１通信部１１からの選択信号７を認識できた場合、第１ＶｏＩＰアダプター２Ａは発呼があったこと、及び、第２宛先番号Ｎ２を交換機３に通知する。交換機３は、第２宛先番号Ｎ２に基づき、第２通信部１２でのリンガー鳴動（呼び出し信号の入力）を第２ＶｏＩＰアダプター２Ｂに指示する。その結果、第２通信部１２は着信を認識する。言い換えると、第２通信部１２は呼び出しを受信する。
【００４０】
具体的に、第２宛先番号Ｎ２の選択信号７の送信後、制御部１０（制御回路１７）は、予め定められた待ち時間の間に第２通信部１２に着信があったか否かを確認する。待ち時間の間に着信があったとき、制御部１０は、第１通信部１１からの着信（呼び出し）ありと判定する。待ち時間待っても着信がなかったとき、制御部１０は、第１通信部１１からの着信（呼び出し）がないと判定する。
【００４１】
第１通信部１１からの着信ありと判定したとき（ステップ♯１３のＹｅｓ）、制御部１０（制御回路１７）は、第１ＶｏＩＰアダプター２Ａが選択信号７（第２宛先番号Ｎ２）を正しく認識（検出）したと判定する（ステップ♯１４）。このとき、制御部１０（制御回路１７）は、直前に送信した選択信号７のパラメータ（パラメータデータＤ１）を記憶部１３に記憶させる（ステップ♯１５、図２参照）。そして、制御部１０（制御回路１７）は、第１通信部１１のパラメータ調整処理を終了する（エンド）。制御部１０（制御回路１７）は、宛先番号を知らせる信号の波形（パラメータ）を調整できたことを知らせるメッセージを表示パネル１４ａに表示させてもよい。つまり、制御部１０は、「調整が正常に完了しました。」というメッセージを含む画面を表示パネル１４ａに表示させる（ステップ♯１６）。
【００４２】
選択信号７をダイヤルパルス方式で送信しているとき、制御部１０は、着信ありと判定できたときの選択信号７のメーク率とミニマムポーズ時間を含むパラメータデータＤ１を生成する。ダイヤルパルス方式は、回線に流れる電流のＯＮ／ＯＦＦ（接と断）の回数により番号（数字）を示す信号である。メーク率とは、1パルスのメークとブレークを合わせた時間のうち、メークの占める時間の割合である（メーク時間÷（メーク時間+ブレーク時間））。ミニマムポーズ時間は、数字と数字の間（パルス列とパルス列の間）で確保する時間である。
【００４３】
図４はダイヤルパルス方式の一例を示す図である。図４は、宛先番号の一部として、５５を含む選択信号７を送信する例を示す。図４のうちＡは、メーク時間を示す。Ｂはブレーク時間を示す。Ｃはミニマムポーズ時間を示す。また、図５はＤＴＭＦ方式での数字の表し方の一例を示す図である。選択信号７をＤＴＭＦ方式で送信しているとき、制御部１０は着信ありと判定できたときの選択信号７の信号レベル、信号ＯＮ時間、信号ＯＦＦ時間を含むパラメータデータＤ１を生成する。ＤＴＭＦ方式は、２つの周波数が異なる正弦波を合成した合成音で数字を送信する信号である。信号レベルは信号の送信に用いる電力である。信号ＯＮ時間は合成音を送信する時間である。信号ＯＦＦ時間は、合成音を送信してから次に合成音を送信するまでの空き時間である。
【００４４】
以後、発信時、制御部１０（制御回路１７）は、パラメータデータＤ１に基づく選択信号７を第１通信部１１に送信させる。宛先番号を第１ＶｏＩＰアダプター２Ａに伝えるとき、制御部１０は、記憶されたパラメータの波形の選択信号７を第１通信部１１に送信させる。
【００４５】
第１ＶｏＩＰアダプター２Ａが選択信号７を正しく認識できた場合、第１ＶｏＩＰアダプター２Ａは認識した選択信号７を交換機３に伝える。交換機３は選択信号７を受けると、第２ＶｏＩＰアダプター２Ｂに対して、着信を要求する。第２ＶｏＩＰアダプター２Ｂは、第２通信部１２に対してリンガー信号を送出する。第２通信部１２は、検出器でリンガー信号鳴動を検出して着信する。一方、第１ＶｏＩＰアダプター２Ａが選択信号７を正しく認識できなかった場合、第１ＶｏＩＰアダプター２Ａは交換機３に選択信号７を伝えない。このため、第２ＶｏＩＰアダプター２Ｂは、第２通信部１２に対してリンガー信号を送出しない。
【００４６】
第１通信部１１からの着信なしと判定したとき（ステップ♯１４のＮｏ）、制御部１０（制御回路１７）は、第１ＶｏＩＰアダプター２Ａが選択信号７（第２宛先番号Ｎ２）を正しく認識（検出）できなかったと判定する（ステップ♯１７）。正しく認識されなかったとき、制御部１０（制御回路１７）は、いったんオンフックする（ステップ♯１８）。
【００４７】
次に、制御部１０（制御回路１７）は、選択信号７のパラメータについて、全てのパターンを実行済か否かを確認する（ステップ♯１９）。言い換えると、制御部１０は、全てのパターンで失敗したか否かを確認する。全てのパターンをまだ実行していないとき（ステップ♯１９のＮｏ）、制御部１０（制御回路１７）は、選択信号７の波形のパラメータを変更する（ステップ♯１１０）。
【００４８】
制御部１０（制御回路１７）は、オフフック（回線接続）し、パラメータ（波形）変更後の選択信号７（第２宛先番号Ｎ２）を第１通信部１１に再送信させる（ステップ♯１１１）。つまり、再送信のとき、制御部１０は、直前の選択信号７の送信時と、パラメータを異ならせる。そして、制御部１０（制御回路１７）は、ステップ♯１３を行う（ステップ♯１３に戻る）。第１ＶｏＩＰアダプター２Ａ、交換機３が選択信号７を認識できる波形となるまで、選択信号７のパラメータ（波形）の調整が自動的に繰り返される。着信ありと判定できるまで再送信を繰り返す場合、制御部１０（制御回路１７）は、それぞれの再送信において、パラメータ（波形）が異なる選択信号７を送信させる。
【００４９】
図１、図６を用いて、パラメータのパターンを説明する。記憶部１３は、パターンテーブルＴ１を不揮発的に記憶する。パターンテーブルＴ１は、選択信号７の波形のパラメータの組み合わせ（パターン）を定義したデータである。パターンテーブルＴ１に基づき、制御部１０（制御回路１７）は、再送信時、選択信号７のパラメータを異ならせる。
【００５０】
図６は、パターンテーブルＴ１の一例を示す。パターンテーブルＴ１では、ダイヤルパルス方式について、複数のパラメータの組み合わせが定義される。また、ＤＴＭＦ方式についても複数のパラメータの組み合わせが定義される。各パターンについて実行の順番が定められる。図６は、１〜ｎ番目までパターンが定義されたパターンテーブルＴ１を示す。ｎは適宜定められる。例えば、ｎは５〜１５のうち何れかの整数とできる（例えば、ｎ＝１０）。順番ごとに選択信号７の波形が異なるように値が設定される。
【００５１】
パラメータ調整処理で最初に第２宛先番号Ｎ２の選択信号７を送信するとき、制御部１０（制御回路１７）は、例えば、パターンテーブルＴ１の順番１のパラメータの選択信号７を第１通信部１１に送信させる。
【００５２】
ダイヤルパルス方式では、順番１のパラメータのうち、メーク率は、予め定められた基準メーク率とする。図６の例では、Ａ１が基準メーク率を示す。基準メーク率は、規格上、標準的な値とされる。例えば、基準メーク率は４０％である。順番２以降では、メーク率は、基準メーク率と異なる値を設定することができる。例えば、偶数の順番では、メーク率は基準メーク率よりも大きい値が設定される。３番目以降の奇数の順番では、メーク率は基準メーク率よりも小さい値が設定される。順番が後になるほど、基準メーク率との差の絶対値が大きくなるようにしてもよい。この場合、メーク率を上げ下げしつつ、順番が経るに従い、次第に基準メーク率との差が大きくなるパターンテーブルＴ１となる。
【００５３】
ダイヤルパルス方式では、順番１のパラメータのうち、ミニマムポーズ時間は、規格上、最短の時間としてもよい。ミニマムポーズ時間が短いため、正しく選択信号７（宛先番号）を認識できないことがある。そこで、順番が後ほど、ミニマムポーズ時間が長くなるようにしてもよい。この場合、順番が経るに従い、次第にミニマムポーズ時間が長くなるパターンテーブルＴ１となる。
【００５４】
ＤＴＭＦ方式では、順番１のパラメータのうち、信号レベルは、予め定められた基準信号レベルとする。基準信号レベルは、規格上、標準的な値とされる。順番２以降では、信号レベルは、基準信号レベルと同じ、又は、異なる値を設定することができる。例えば、偶数の順番では、信号レベルは基準信号レベルと異なる値が設定される。３番目以降の奇数の順番では、信号レベルは基準信号レベルと同じ値が設定される。この場合、信号レベルを上げ下げしつつ、選択信号７の波形を調整するパターンテーブルＴ１となる。
【００５５】
ＤＴＭＦ方式では、順番１のパラメータのうち、信号ＯＮ時間は、規格上、最短の時間としてもよい。信号ＯＮ時間が短いため、選択信号７（宛先番号）を認識できないことがある。そこで、順番が後ほど、信号ＯＮ時間が長くなるようにしてもよい。この場合、順番が経るに従い、次第に信号ＯＮ時間が長くなるパターンテーブルＴ１となる。
【００５６】
ＤＴＭＦ方式では、順番１のパラメータのうち、信号ＯＦＦ時間（ＯＦＦ時間）は、規格上、最短の時間としてもよい。信号ＯＦＦ時間が短いため、正しく選択信号７（宛先番号）を認識できないことがある。そこで、順番が後ほど、信号ＯＦＦ時間が長くなるようにしてもよい。この場合、順番が経るに従い、次第に信号ＯＦＦ時間が長くなるパターンテーブルＴ１となる。
【００５７】
選択信号７の再送信を行うとき、制御部１０（制御回路１７）は、パターンテーブルＴ１のうち、未実行の順番のパラメータの値を読み出す。例えば、制御部１０は、パターンテーブルＴ１のうち、次の順番（次行）のパラメータの値を読み出す。制御部１０は、読み出した値の波形の選択信号７を第１通信部１１に再送信させる。
【００５８】
全てのパターンを実行しても第２通信部１２が着信を検知できないとき（ステップ♯１９のＹｅｓ）、アダプター、交換機、モジュラーケーブルの異常が考えられる。そこで、制御部１０（制御回路１７）は、調整の失敗と点検の必要性を表示パネル１４ａに表示させる（ステップ♯１１２）。そして、制御部１０（制御回路１７）は、第１通信部１１のパラメータ調整処理を終了する（エンド）。
【００５９】
図７は通知画面６の一例を示す。ステップ♯１１２に基づき、制御部１０（制御回路１７）は通知画面６を表示パネル１４ａに表示させる。調整を失敗した通信部がわかるように、制御部１０は、第１宛先番号Ｎ１（ファクシミリ番号）を表示させてもよい。図７に示すように、制御部１０は、第１通信部１１について、宛先番号が正しく認識されるように調整できなかったことを知らせるメッセージを表示パネル１４ａに表示させる。また、制御部１０は、第１ＶｏＩＰアダプター２Ａ、交換機３、モジュラーケーブルの異常の可能性と、それらの点検の必要性を知らせるメッセージを表示パネル１４ａに表示させる。
【００６０】
（第２通信部１２の調整）
図８を用いて、実施形態に係る第２通信部１２のパラメータ調整処理の一例を説明する。図８は、実施形態に係る第２通信部１２のパラメータ調整処理の一例を示す図である。
【００６１】
第１通信部１１のパラメータ調整処理が終わったとき、制御部１０（制御回路１７）は、第２通信部１２についてもパラメータ調整処理を開始する。図８のスタートは、第１通信部１１のパラメータ調整処理が終わった時点である。なお、正しく認識されるように第１通信部１１の選択信号７のパラメータ（波形）を調整できたときのみ、制御部１０は、図８の処理を開始してもよい。
【００６２】
第２通信部１２のパラメータ調整処理のとき、制御部１０は、第１通信部１１のパラメータ調整処理と同様の処理を行う。第１通信部１１のパラメータ調整処理では、発信側が第１通信部１１、受信側が第２通信部１２である。第２通信部１２のパラメータ調整処理では、発信側が第２通信部１２、受信側が第１通信部１１となる。
【００６３】
まず、制御部１０（制御回路１７）は、第１通信部１１の第１宛先番号Ｎ１（ファクシミリ番号）を認識する（ステップ♯２１）。例えば、操作パネル１４はパラメータ調整処理の開始に際し、第１宛先番号Ｎ１の入力も受け付ける。この場合、制御部１０は、入力された番号を第１宛先番号Ｎ１と認識する。図３のステップ♯１１の時点で、第１宛先番号Ｎ１の入力がなされていてもよい。
【００６４】
次に、制御部１０（制御回路１７）は、オフフック（回線接続）し、第１宛先番号Ｎ１の選択信号７を第２通信部１２に送信させる（ステップ♯２２）。言い換えると、制御部１０は、第１通信部１１を呼び出すための信号を第２通信部１２に送信させる。
【００６５】
このとき、制御部１０は、正しく認識されるように第１通信部１１の選択信号７のパラメータ（波形）を調整できているか否かを確認してもよい。調整できている場合、制御部１０は、第１通信部１１の選択信号７の認識成功時のパラメータデータＤ１を参照する。制御部１０は、正しく認識された選択信号７と同じパラメータの選択信号７を最初に第２通信部１２に送信させてもよい。
【００６６】
制御部１０（制御回路１７）は、第１通信部１１への着信があるか否かを確認する（ステップ♯２３）。言い換えると、制御部１０は、第１通信部１１が第２通信部１２（第２宛先番号Ｎ２）からの呼び出しを受信したか否かを判定する。
【００６７】
第２ＶｏＩＰアダプター２Ｂが第２通信部１２からの選択信号７を認識できた場合、第２ＶｏＩＰアダプター２Ｂは発呼があったこと、及び、第１宛先番号Ｎ１を交換機３に通知する。交換機３は、第１宛先番号Ｎ１に基づき、第１通信部１１でのリンガー鳴動（リンガー信号、呼び出し信号の入力）を第１ＶｏＩＰアダプター２Ａに指示する。その結果、第１通信部１１は着信を認識する。言い換えると、第１通信部１１は呼び出しを受信する。
【００６８】
第１宛先番号Ｎ１の選択信号７の送信後、制御部１０（制御回路１７）は、予め定められた待ち時間の間に第１通信部１１への着信があったか否かを確認する。待ち時間の間に着信があったとき、制御部１０は、着信（第２通信部１２からの呼び出し）ありと判定する。待ち時間待っても着信がなかったとき、制御部１０は、着信がないと判定する。
【００６９】
着信ありと判定したとき（ステップ♯２３のＹｅｓ）、制御部１０（制御回路１７）は、第２ＶｏＩＰアダプター２Ｂが選択信号７（第１宛先番号Ｎ１）を正しく認識したと判定する（ステップ♯２４）。このとき、制御部１０（制御回路１７）は、第２通信部１２が直前に送信した選択信号７のパラメータをパラメータデータＤ１として記憶部１３に記憶させる（ステップ♯２５）。そして、制御部１０（制御回路１７）は、第２通信部１２のパラメータ調整処理を終了する（エンド）。このとき、制御部１０（制御回路１７）は、第２通信部１２についても、信号のパラメータを調整できたことを知らせるメッセージを表示パネル１４ａに表示させてもよい。つまり、制御部１０は、「調整が正常に完了しました。」というメッセージを含む画面を表示パネル１４ａに表示させる（ステップ♯２６）。
【００７０】
第２通信部１２が選択信号７をダイヤルパルス方式で送信しているとき、制御部１０は、着信ありと判定できたときの選択信号７のメーク率とミニマムポーズ時間を含むパラメータデータＤ１を記憶部１３に記憶させる。第２通信部１２が選択信号７をＤＴＭＦ方式で送信しているとき、制御部１０は、着信ありと判定できたときの選択信号７の信号レベル、信号ＯＮ時間、信号ＯＦＦ時間、周期（信号ＯＮ時間と信号ＯＦＦ時間の和）を含むパラメータデータＤ１を記憶部１３に記憶させる。
【００７１】
以後、制御部１０（制御回路１７）は、発信時、記憶部１３に記憶されるパラメータ（第２通信部１２のパラメータデータＤ１）に基づき、選択信号７を第２通信部１２に送信させる。宛先番号を第２ＶｏＩＰアダプター２Ｂに伝えるとき、制御部１０は、記憶されたパラメータの波形の選択信号７を第２通信部１２に送信させる。
【００７２】
第２ＶｏＩＰアダプター２Ｂが選択信号７を正しく認識できた場合、第２ＶｏＩＰアダプター２Ｂは認識した選択信号７を交換機３に伝える。交換機３は選択信号７を受けると、第１ＶｏＩＰアダプター２Ａに対して、着信を要求する。第１ＶｏＩＰアダプター２Ａは、第１通信部１１に対してリンガー信号を送出する。第１通信部１１は、検出器でリンガー信号鳴動を検出して着信する。一方、第２ＶｏＩＰアダプター２Ｂが選択信号７を正しく認識できなかった場合、第２ＶｏＩＰアダプター２Ｂは交換機３に選択信号７を伝えない。このため、第１ＶｏＩＰアダプター２Ａは、第１通信部１１に対してリンガー信号を送出しない。
【００７３】
第２通信部１２からの着信なしと判定したとき（ステップ♯２３のＮｏ）、制御部１０（制御回路１７）は、第２ＶｏＩＰアダプター２Ｂが選択信号７（第１宛先番号Ｎ１）を正しく認識（検出）できなかったと判定する（ステップ♯２７）。正しく認識されなかったとき、制御部１０（制御回路１７）は、いったんオンフックする（ステップ♯２８）。
【００７４】
選択信号７のパラメータについて、制御部１０（制御回路１７）は全パターンを実行済か否かを確認する（ステップ♯２９）。制御部１０は、第１通信部１１の場合と同様に、パターンテーブルＴ１を用いて、選択信号７のパラメータを変える。用いるパターンテーブルＴ１は、第１通信部１１の場合と同じでよい。全てのパターンをまだ実行していないとき（ステップ♯２９のＮｏ）、制御部１０（制御回路１７）は、選択信号７の波形のパラメータを変更する（ステップ♯２１０）。なお、未実行のパラメータが選択される。
【００７５】
制御部１０（制御回路１７）は、オフフック（回線接続）し、変更後のパラメータの選択信号７（第１宛先番号Ｎ１）を第２通信部１２に再送信させる（ステップ♯２１１）。再送信のとき、制御部１０は、直前の選択信号７の送信時と、パラメータを異ならせる。
【００７６】
そして、制御部１０（制御回路１７）は、ステップ♯２３を行う（ステップ♯２３に戻る）。これにより、第２ＶｏＩＰアダプター２Ｂ、交換機３が選択信号７を認識できる波形となるまで、パラメータの調整が自動的に繰り返される。着信ありと判定できるまで再送信を繰り返す場合、制御部１０（制御回路１７）は、それぞれの再送信において、パラメータ（波形）が異なる選択信号７を第２通信部１２に送信させる。
【００７７】
全てのパターンを実行しても第１通信部１１が着信を検知できないとき（ステップ♯２９のＹｅｓ）、制御部１０（制御回路１７）は、調整の失敗と点検の必要性を表示パネル１４ａに表示させる（ステップ♯２１２）。そして、制御部１０（制御回路１７）は、第２通信部１２のパラメータ調整処理を終了する（エンド）。制御部１０は、図７と同様の通知画面６を表示パネル１４ａに表示させる。調整を失敗した通信部がわかるように、制御部１０は、第２通信部１２の宛先番号（ファクシミリ番号）を表示させてもよい。
【００７８】
このようにして実施形態に係る通信装置（複合機１、ファクシミリ装置）は、第１通信部１１、第２通信部１２、制御部１０を含む。第１通信部１１は、第１宛先番号Ｎ１が割り当てられ、通信を行う。第２通信部１２は、第２宛先番号Ｎ２が割り当てられ、通信を行う。画像送信のため、呼び出す相手方の宛先番号を送る信号である選択信号７の波形のパラメータを調整するパラメータ調整処理のとき、制御部１０は、第２宛先番号Ｎ２の選択信号７を第１通信部１１に送信させる。第２宛先番号Ｎ２の選択信号７の送信後、制御部１０は、第２通信部１２に着信がある否かを判定する。宛先番号を知らせる信号（選択信号７）がアダプターや交換機３で正しく認識されているか否かを判定することができる。アダプターや交換機３が認識できるように宛先番号を送信できているか否かを確認することができる。メンテナンス担当者が信号のパラメータを手動で調整しなくても、自動的に選択信号７の適切なパラメータを設定することができる。また、確認時、自機の第２通信部１２（第２宛先番号Ｎ２）に向けて試験送信するので、余計な通信費用が生じない。
【００７９】
複合機１は、記憶部１３を含む。第１通信部１１からの第２宛先番号Ｎ２の選択信号７の送信後、第２通信部１２に着信ありと判定したとき、制御部１０は、直前に送信した選択信号７のパラメータ（パラメータデータＤ１）を記憶部１３に記憶させる。記憶部１３に記憶されるパラメータに基づき、制御部１０は、選択信号７を第１通信部１１に送信させる。以後、交換機、アダプターが認識できる波形で第１通信部１１から選択信号７を送信することができる。
【００８０】
第１通信部１１からの第２宛先番号Ｎ２の選択信号７の送信後、第２通信部１２に着信なしと判定した場合、制御部１０は、第２宛先番号Ｎ２の選択信号７を第１通信部１１に再送信させる。再送信のとき、制御部１０は、直前の選択信号７の送信時と、パラメータを異ならせる。パラメータを変えた選択信号７（第２宛先番号Ｎ２）の再送信により、交換機、アダプターが正しく選択信号７を認識できるかを再確認することができる。再送信は自動的に行われる。手間を使用者にかけさせずに、再送信を行うことができる。
【００８１】
再送信についても第２通信部１２に着信なしと判定したとき、制御部１０は、再送信を再び第１通信部１１に行わせる（再送信を繰り返させる）。制御部１０は、それぞれの再送信において、選択信号７のパラメータを異ならせる。自動的に選択信号７のパラメータ（波形）を変化させつつ、選択信号７（第２宛先番号Ｎ２）の再送信を繰り返すことができる。交換機、アダプターに正しく選択信号７が認識される信号波形を見つけ出すことができる。再送信の繰り返しは自動的に行われる。使用者に手間をかけさせずに、再送信を繰り返すことができる。
【００８２】
複合機１は表示を行う表示パネル１４ａを含む。再送信を繰り返す場合、パラメータのパターンを定義したパターンテーブルＴ１に基づき、制御部１０は、それぞれの再送信時に選択信号７のパラメータを異ならせる。パターンテーブルＴ１に定義される全てのパターンについて再送信を行っても第２通信部１２に着信ありと判定できないとき、制御部１０は、調整の失敗と点検の必要性を表示パネル１４ａに表示させる。様々な波形で選択信号７を送信しても、正しい宛先番号が認識されないとき、異常を使用者に知らせることができる。交換機３やアダプターの点検の必要性を知らせることができる。
【００８３】
第１通信部１１がダイヤルパルス方式の選択信号７を送信する場合、再送信のとき、制御部１０は、パラメータのうち、メーク率とミニマムポーズ時間の何れか一方、又は、両方を第１通信部１１に変えさせる。送信ごとに、選択信号７（第２宛先番号Ｎ２）の送信時の信号波形を変えることができる。交換機、アダプターが認識できる選択信号７の波形を見つけ出すことができる。
【００８４】
第１通信部１１がＤＴＭＦ方式の第２宛先番号Ｎ２を送信する場合、再送信のとき、制御部１０は、パラメータのうち、信号レベル、信号ＯＮ時間、信号ＯＦＦ時間の何れか１つ又は複数を第１通信部１１に変えさせる。送信ごとに、選択信号７（第２宛先番号Ｎ２）の送信時の信号波形を変えることができる。交換機、アダプターが認識できる選択信号７の波形を見つけ出すことができる。
【００８５】
第１通信部１１と第２通信部１２は、ＶｏＩＰアダプター２（第１ＶｏＩＰアダプター２Ａ、第２ＶｏＩＰアダプター２Ｂ）に接続される。ＶｏＩＰ環境化において、交換機３、ＶｏＩＰアダプター２が正しく選択信号７を認識するか否かを判定することができる。
【００８６】
第２通信部１２に着信ありと判定した場合、制御部１０は、第２通信部１２についてパラメータ調整処理を開始する。制御部１０は第１宛先番号Ｎ１の選択信号７を第２通信部１２に送信させる。第１宛先番号Ｎ１の選択信号７の送信後、制御部１０は第１通信部１１への着信がある否かを判定する。１回目のパラメータ調整処理後、第１通信部１１と第２通信部１２の役割を交換することができる。第２通信部１２から送信される選択信号７が、交換機、アダプターに正しく認識されるか否かを判定することができる。
【００８７】
本発明の実施形態を説明したが、本発明の範囲はこれに限定されるものではなく、発明の主旨を逸脱しない範囲で種々の変更を加えて実施することができる。
【産業上の利用可能性】
【００８８】
本発明はファクシミリ通信に利用可能である。
【符号の説明】
【００８９】
１      複合機（通信装置）            １０    制御部
１１    第１通信部                    １２    第２通信部
１３    記憶部                        １４ａ  表示パネル
２Ａ    第１ＶｏＩＰアダプター        ２Ｂ    第２ＶｏＩＰアダプター
７      選択信号                      Ｎ１    第１宛先番号
Ｎ２    第２宛先番号                  Ｄ１    パラメータデータ
Ｔ１    パターンテーブル
【図１】
2020092390.tif 000003
【図２】
2020092390.tif 000004
【図３】
2020092390.tif 000005
【図４】
2020092390.tif 000006
【図５】
2020092390.tif 000007
【図６】
2020092390.tif 000008
【図７】
2020092390.tif 000009
【図８】
2020092390.tif 000010